(57)【要約】【課題】特殊仕様昇降機を監視する昇降機監視端末から定期的に収集される計測値により判定値の個別設定が必要であることを判別し、適切な判定値の個別設定を自動的に行うことができる昇降機監視センター装置を提供する。【解決手段】昇降機監視端末３から定期的に収集した計測値を基に特定の計測値が所定の回数連続して判定値の範囲を外れ、計測値にばらつきがなく、かつ昇降機の故障検出来歴がない場合、昇降機監視端末３の計測値から求めた個別平均値１７ａと同様な仕様をもつ昇降機の昇降機監視端末の計測値から求めた標準平均値１７ｂの差分により、標準判定値１２ａにこの差分を加味した個別判定値１９ａを算出して自動的に設定する。【選択図】図１
2005170661.tif 000002
【特許請求の範囲】
【請求項１】
昇降機監視端末に監視項目の設定及び判定を行わせる判定値を設定する昇降機監視センター装置において、定期的に収集した計測値を基に特定の計測値が所定の回数連続して判定値の範囲を外れた場合を検出し、当該昇降機監視端末の当該計測値にばらつきがなく、かつ当該昇降機の故障検出来歴がない場合に、当該昇降機以外の同様な仕様をもつ昇降機の昇降機監視端末の計測値の分布から計測値の平均値と標準判定値に対する関係を求め、この標準平均値と当該昇降機監視端末の当該計測値の平均値の差分により標準判定値に当該差分を適用することにより当該計測値の個別判定値を算出して自動的に設定するように構成したことを特徴とする昇降機監視センター装置。
【発明の詳細な説明】
【技術分野】
【０００１】
本発明は、昇降機監視端末の監視項目の設定及び判定を行わせる判定値を設定し、昇降機監視端末が計測、記録した各種情報を収集する昇降機監視センター装置に関する。
【背景技術】
【０００２】
従来、エレベータの走行性能の測定を行い、測定項目の実測値が予め設定した判定値幅から外れた場合に故障の予兆信号を発報するエレベータ遠隔故障診断システムにおいて、エレベータの走行状態に合わせて判定値幅を設定し、診断運転時の判定値幅を通常運転時のそれよりも狭く設定するようにし、より細かな走行状態の診断が行うことができるエレベータ遠隔故障診断システムが提案されている（例えば、特許文献１参照。）。
【特許文献１】特開平１１−３４９２４９号公報（段落番号００５０〜００６４、第１図）
【発明の開示】
【発明が解決しようとする課題】
【０００３】
しかしながら、上記の従来の方法では、昇降機監視端末では判別できない調整が行われた特殊仕様の昇降機においては走行性能の計測値が大きく外れた状態が正常な値となる場合があり、昇降機監視端末は常に異常を検出してしまうので判定値自体を個別に設定しなければならない。
【０００４】
本発明の目的は、昇降機監視端末から定期的に収集される計測値により判定値の個別設定が必要であることを判別し、その昇降機監視端末に対して適切な判定値の個別設定を自動的に行うことができる昇降機監視センター装置を提供することにある。
【課題を解決するための手段】
【０００５】
上記目的を達成するために、本発明は、定期的に収集した計測値を基に特定の計測値が所定の回数連続して判定値の範囲を外れた場合を検出し、当該昇降機監視端末の当該計測値にバラツキがなく、かつ当該昇降機の故障検出来歴がない場合に、当該昇降機以外の同様な仕様をもつ昇降機の昇降機監視端末の計測値の分布から計測値の平均値と標準判定値に対する関係を求め、この標準平均値と当該昇降機監視端末の当該計測値の平均値の差分により、標準判定値に当該差分を適用することにより当該計測値の個別判定値を算出して自動的に設定するように構成されている。
【発明の効果】
【０００６】
このように構成することにより、昇降機監視端末の計測値が判定値の個別設定を要する昇降機監視端末に対して適切な個別判定値の設定を自動的に行うことができる。
【発明を実施するための最良の形態】
【０００７】
以下、本発明の昇降機監視センター装置の実施の形態を図に基づき説明する。
【０００８】
図１は本発明の一実施形態に係わる昇降機監視センター装置のブロック図である。
【０００９】
図１に示す本実施形態の昇降機監視センター装置１は、一般回線２を介して昇降機監視端末３と通信による情報の授受を行う構成であり、昇降機監視センター装置１により判定値の設定を行う場合、判定値作成部１１は、標準判定値記憶部１２に記憶される標準判定値のうち、当該昇降機監視端末３に設定すべき標準判定値１２ａを抽出し、通信部１３を用い、一般回線２を介して昇降機監視端末３の通信部３１へと接続し、判定値記憶部３２へ判定値を格納させ、これに伴い昇降機監視端末３は、判定値記憶部３２に格納された判定値を用いて計測部３４により計測された計測値を比較判定部３３で比較判定を行う構成である。
【００１０】
また、昇降機監視端末３は、計測部３４により計測された計測値を用いて計測値格納部３５に定期的に記録及び更新を行い、故障検出部３６は昇降機の故障を故障状態をデータとして故障来歴格納部３７に記録を行う構成である。
【００１１】
一方、昇降機監視センター装置１は一般回線２を介して上記の計測値格納部３５の計測値及び故障来歴格納部３７の故障来歴を定期的に読み出しを行い、計測値格納部３５から読み出した計測値を計測値判定部１４を経由して読み出した日付とともに計測値格納部１５に格納し、故障来歴格納部３７から故障来歴を読み出した日付とともに故障来歴格納部１６に格納する構成である。
【００１２】
この計測値判定部１４が定期的に収集する計測値のうち、特定の計測値が判定値の範囲を外れたことを検出し、当該計測値が判定値範囲外であったことをカウントしておき、当該計測値の判定値範囲外が所定の回数連続して計測値格納部１５に格納された場合に、個別判定値作成部１７は故障来歴解析部１８に当該昇降機監視端末３が計測値の判定値範囲外が所定の回数連続した期間中に当該計測値に関する故障来歴がなく、当該計測値にばらつきがないことにより当該昇降機監視端末３の当該計測値が判定値の個別設定を要することを検出する。当該計測値が判定値の個別設定を要すると判定した個別判定値作成部１７は当該昇降機監視端末３の当該計測値の平均値を個別平均値１７ａとして算出し、計測値格納部１５から当該昇降機監視端末３の監視する昇降機と同様な仕様の昇降機を監視する昇降機監視端末の計測値の平均値を標準平均値１７ｂとして算出し、個別平均値１７ａと標準平均値１７ｂの差分を求める。この差分を計測値の標準判定値に加味することにより個別に設定すべき個別判定値を算出し、個別判定値記憶部１９に格納する。
【００１３】
つづいて、個別判定値作成部１７は判定値作成部１１及び通信部１３を用いて個別判定値記憶部１９に格納した個別判定値１９ａの当該昇降機監視端末３への設定を行い、以降当該昇降機監視端末３へ判定値の設定を行う際には個別判定値記憶部１９に格納した個別判定値１９ａを用いるように構成されている。
【図面の簡単な説明】
【００１４】
【図１】本発明の一実施形態に係わる昇降機監視センター装置のブロック図である。
【符号の説明】
【００１５】
１    昇降機監視センター装置
２    一般回線
３    昇降機監視端末
１１    判定値作成部
１２    標準判定値記憶部
１２ａ  標準判定値
１３    通信部
１４    計測値判定部
１５    計測値格納部
１６    故障来歴格納部
１７    個別判定値作成部
１７ａ  個別平均値
１７ｂ  標準平均値
１８    故障来歴解析部
１９    個別判定値記憶部
１９ａ  個別判定値
３１    通信部
３２    判定値記憶部
３３    比較判定部
３４    計測部
３５    計測値格納部
３６    故障検出部
３７    故障来歴格納部
【図１】
2005170661.tif 000003